(57)【要約】【課題】回り込み電磁干渉波を確実に遮蔽でき、無資格者でも簡単に施すことができるマルチメディア対応の複合コンセントボックスを得る。【解決手段】本考案中子ボックス１は、強電流電線用のコンセント配設領域４に、具合よく嵌合する底壁６および四方の側壁７ａ〜７ｄを有する矩形の中子ボックス１であって、互いに対向する上下１対の側壁７ａ，７ｂのほぼ中央部には、コンセントユニットを保持する枠体を複合コンセントボックス２にねじ付けるためのナット付き突起８が摺動して通過できるよう、底壁６から側壁７ａの上端縁まで垂直方向に延在する垂直窪み９を設け、一方の側壁７ａにおける垂直窪み９の一方の側方に、強電流電線用の配線ケーブルが通過できる切欠き１０を設け、中子ボックスの底壁６および側壁７ａ〜７ｄは、それぞれ金属遮蔽コア層の少なくとも両側表面を誘電体層で挟み込んだ積層構造にする。【選択図】図１
0003143429.tif 000002
【実用新案登録請求の範囲】
【請求項１】
内部空間を、強電流電線用のコンセントユニット配設領域と、電話回線、インターネット接続部、ＬＡＮ接続部等の弱電流電線用ジャックユニット配設領域とに、隔壁によって区分けした複合コンセントボックスにおける前記強電流電線用のコンセント配設領域に、具合よく嵌合する底壁および四方の側壁を有する矩形の中子ボックスであって、
この中子ボックスの互いに対向する上下１対の側壁のほぼ中央部には、コンセントユニットおよびジャックユニットを保持する枠体を前記複合コンセントボックスにねじ付けるため、複合コンセントボックスに設けた上下１対のナット付き突起が摺動して通過できるよう、底壁から側壁の上端縁まで垂直方向に延在する垂直窪みを設け、
前記上下１対の側壁のうち一方の前記側壁における前記垂直窪みの一方の側方に、前記コンセントユニットに接続する強電流電線用の配線ケーブルが通過できる切欠きを設け、
前記中子ボックスの底壁および側壁は、それぞれ金属遮蔽コア層の少なくとも両側表面を誘電体層で挟み込んだ積層構造にした
ことを特徴とする複合コンセントボックスの中子ボックス。
【請求項２】
金属遮蔽コア層は、両側表面のみならず、端縁も含めて周囲を誘電体層で被覆した積層構造とした請求項１記載の複合コンセントボックスの中子ボックス。
【請求項３】
前記金属遮蔽コア層はアルミニウムとし、前記誘電体層は、塩化ビニルとした請求項１または２記載の複合コンセントボックスの中子ボックス。
【請求項４】
前記金属遮蔽コア層は、導線を介してアンテナ線のシールド線に接続してアース接続可能にした１〜３のうちいずれか一項に記載の複合コンセントボックスの中子ボックス。
【考案の詳細な説明】
【技術分野】
【０００１】
本考案は、商用電源用コンセントと共に、電話用、テレビ受信用、インターネット接続用、ディジタル家電制御用または出力用など接続端子類を組み合わせたマルチメディア対応の複合コンセントボックスに関する。
【背景技術】
【０００２】
住宅、事務所、商店、作業場等において小形電気・電子機器の電源として商用電源を手軽に利用するために、壁面、柱、床面等に配設されたコンセント（アウトレット）が多く用いられる。コンセントは、一部露出形も使用されるが、好ましくは壁面に埋め込まれる金属製または合成樹脂製のボックス内に収納されものが使用される。このようなコンセントボックスには１口、２口、３口等のコンセントユニットの差込口のみを露出させて他部分をカバーする化粧カバーが取り付けられる。
【０００３】
一方、テレビ、電話、インターネット、セキュリティ機器類に代表される各種情報機器が広く普及しつつあり、これら機器類のそれぞれの受容端子、コネクタ等の信号授受接続部も使いやすい部位に配設する必要がある。これら信号授受接続部の所要数や種類は、ＩＴ技術の進展、ディジタル家電の普及、メタルケーブル、同軸ケーブル、光ケーブル等信号伝送回線の発達等により増加し続けている。これら接続部であるジャックユニットをそれぞれ個別に独立して施設することは、技術的な観点からは望ましい。
【０００４】
しかし、過度に煩雑となって、一般住宅や小規模の事務所・商店等においては実用上不便である上、外観上も見苦しいものとなることが多い。そこで、商用電源のコンセントユニットを取り付ける配線領域と、各種信号授受接続部となるジャックユニットを取り付ける配線領域と組み合わせ、双方の領域を隔離板で分離するマルチメディア対応の複合コンセントボックスも出現している。（例えば、特許文献１および特許文献２参照。）
【０００５】
これは、電気事業法が制定された時点において、弱電流電線としては、専ら電信（テレックス）・電話、ＦＡＸ等のアナログ方式または単なる電流のオンオフ信号による通信回線が一般的であった。したがって、この時点で法が確保しようとする安全の対象は、強電流電線による高電圧が通信機器側に加わり、通信機器類に障害を与え、さらには使用者に感電の危害を与える事態を回避することを目的としていたからである。
【０００６】
また、隔壁は強・弱電線間における直接の接触を意味する混触、強電流電線側の雷撃電圧等によって生ずる異常電圧に起因して弱電流電線側に生ずる誘導電圧を低減することを目的とし、隔壁は堅固な絶縁材であれば足り、さらに適宜離隔距離があれば十分であると解されていた。
【０００７】
【特許文献１】実開平４−９３４２２号公報
【特許文献２】特開２００６−４２５１６号公報
【考案の開示】
【考案が解決しようとする課題】
【０００８】
しかし、近年のＩＴ技術およびディジタル技術の発達は著しく、高速化ならびに高密度化の要請から使用される信号もＧＨｚ台の高周波域に移行し、信号のパケット伝送も多用されるなど事情は変わっている。さらに、省エネルギーならびに精確な制御の必要性から電気機器の半導体制御が急増し、商用電源側に高調波成分が多く含まれるようになり、信号線側への誘導も懸念されるに至っている。
【０００９】
したがって、特許文献１および２のような、直線的な横方向のみを遮る単なる遮蔽版だけでは、回り込みの電磁波を遮蔽することができない。
【００１０】
その一方、電気事業法の一般電気工作物の維持・運用に関する規定、そしてこれを受けて規定された経済産業省令ならびに電気設備技術基準によれば、商用電源に接続される強電流電線と、通信および各種信号の授受に使用される弱電流電線（その他水管、ガス管等も含む）とは混触が生じないように施設することを義務付けている。すなわち、強電流電線と弱電流電線等の相互が接近又は交差する場合には、安全性の高い工事方法をとること、離隔距離を所定値以上にすること、両者間に隔壁を設けること等が定められている。このような工事は、有資格者でないとむやみに行うことができない。
【００１１】
したがって、本考案の目的は、マルチメディア対応の複合コンセントボックスにおいても、回り込み電磁干渉波を確実に遮蔽できる処置を、無資格者でも簡単に施すことができるともに、コンセントボックスのみならず、強電流電線および弱電流電線が混在する種々の天井裏、壁裏等の通常目に触れない箇所で、双方の電線を確実に隔絶させるのに使用できる中子ボックスを得るにある。
【課題を解決するための手段】
【００１２】
この目的を達成するため、本考案は、内部空間を、強電流電線用のコンセント配設領域と、電話回線、インターネット接続部、ＬＡＮ接続部等のマルチメディア関連の弱電流電線用のジャック配設領域とに、隔壁によって区分けした複合コンセントボックスにおける前記強電流電線用のコンセント配設領域に、具合よく嵌合する底壁および四方の側壁を有する矩形の中子ボックスであって、この中子ボックスの互いに対向する上下１対の側壁のほぼ中央部には、コンセントユニットおよびジャックユニットを保持する枠体を前記複合コンセントボックスにねじ付けるため、複合コンセントボックスに設けた上下１対のナット付き突起が摺動して通過できるよう、底壁から側壁の上端縁まで垂直方向に延在する垂直窪みを設け、前記上下１対の側壁のうち一方の前記側壁における前記垂直窪みの一方の側方に、前記強電流電線用のコンセントユニットに接続する強電流電線用の配線ケーブルが通過できる切欠きを設け、前記中子ボックスの底壁および側壁は、それぞれ金属遮蔽コア層の少なくとも両側表面を誘電体層で挟み込んだ積層構造にしたことを特徴とする。
【考案の効果】
【００１３】
本考案中子ボックスによれば、普通の複合コンセントボックスにおける強電流電線用のコンセント配設領域に、無資格者でも、この中子ボックスを単に挿入するだけで、強電流電線からの回り込みの電磁干渉に対しても弱電流電線を確実に遮蔽することができる。
さらに、強電流電線および弱電流電線が混在する種々の天井裏、壁裏等、通常目に触れない箇所で、強電流電線と弱電流電線との間にこの中子ボックス介在させ、この中子ボックスの両側の窪みにそれぞれ各電線を収納して固定することによって、両者を確実に隔絶させることができる。
この場合、両面接着テープによって中子ボックスを２個縦列連結することによって、電気設備技術基準を確実にクリアすることができる。
【考案を実施するための最良の形態】
【００１４】
本考案の好適な実施形態においては、金属遮蔽コア層は、両側表面のみならず、端縁も含めて周囲を誘電体層で被覆した積層構造とする。また、金属遮蔽コア層はアルミニウムとし、誘電体層は塩化ビニルとする。さらに、金属遮蔽コア層は、導線を介してアンテナ線のシールド線に接続してアース接続可能とすると好適である。
【実施例】
【００１５】
図１（ａ）は本考案中子ボックス１を示し、図１（ｂ）はこの中子ボックス１を使用する複合コンセントボックス２を示す。複合コンセントボックス２は、実際は、電線（ケーブル）を引き込む（または導出する）ため、また軽量化のため、種々の形状の開口部を設けてあるが、簡単のためこれら開口部は図示しない。
【００１６】
この複合コンセントボックス２は、内部空間を、隔壁または遮蔽板３によって強電流電線用のコンセントユニット配設領域４と、電話回線、インターネット接続部、ＬＡＮ接続部等のマルチメディアの弱電流電線用ジャックユニット配設領域５とに区分けする。
【００１７】
本考案中子ボックス１は、複合コンセントボックス２の強電流電線用のコンセント配設領域４に、具合よく嵌合する底壁６および四方の側壁７ａ，７ｂ，７ｃ，７ｄを有する矩形の形状とする。
【００１８】
本考案による中子ボックス１は、互いに対向する上下１対の側壁７ａ，７ｂのほぼ中央部には、コンセントユニットおよびジャックユニット（図示せず）を保持する枠体（図示せず）を複合コンセントボックス２にねじ付けるため、複合コンセントボックス２に設けた上下１対のナット付き突起８が摺動して通過できるよう、底壁６から側壁７ａ，７ｂの上端縁まで垂直方向に延在する垂直窪み９を設ける。
【００１９】
さらに、本考案による中子ボックス１は、上下１対の側壁のうち上方の側壁７ａにおける垂直窪み９の一方の側方に、コンセントユニットに接続する強電流電線用の配線ケーブルが通過できる切欠き１０を設ける。
【００２０】
中子ボックス１を構成する底壁６および側壁７ａ〜７ｄは、それぞれ金属遮蔽コア層の少なくとも両側表面を誘電体層で挟み込んだ積層構造とする。金属遮蔽コア層は、両側表面のみならず、端縁も含めて周囲を誘電体層で被覆すると好適である。さらに、金属遮蔽コア層はアルミニウムとし、誘電体層は、塩化ビニルとする。また、金属遮蔽コア層は、導線を介してアンテナ線のシールド線に接続してアース接続可能にすると好適である。
【００２１】
中子ボックス１の頂端縁に、図１（ｃ）に示すように、例えば二口コンセント１１を固定したコンセントユニット１２を装着する。このとき二口コンセント１１の下方の本体部分（図示せず）が中子ボックス１内に収納され、この本体部分から導出する配線ケーブル１３が中子ボックス１の切欠き１０を通過する。このようにコンセントユニット１２を装着した中子ボックス１を、複合コンセントボックス２の強電流電線用のコンセント配設領域４に配置する。このとき、配線ケーブル１３を複合コンセントボックス２に設けたケーブル用開口１４に挿通する。
【００２２】
つぎに、コンセントユニット１２のねじ用開口１５から止めねじ（図示せず）を複合コンセントボックス２のナット付き突起８にねじ付け、コンセントユニット１２および中子ボックス１を、複合コンセントボックス２に固定する。この後、図１（ｄ）に示す粘着面を有するアルミ箔フィルム１６を、二口コンセント１１の露出面の周囲でコンセントユニット１２の上面に貼着すると好適である。
【００２３】
複合コンセントボックス２の弱電流電線用ジャックユニット配設領域５に、図示しないジャックユニットを固定した後、最終的に、図示しないカバープレートを複合コンセントボックス２に固定する。
【００２４】
本考案中子ボックス１によれば、普通の複合コンセントボックス２における強電流電線用のコンセント配設領域４に、この中子ボックス１を単に挿入するだけで、中子ボックス１の側壁７ｄのみならず、遮蔽板３を隔てて隣接するマルチメディアの弱電流電線用ジャックユニット配設領域５に配置する弱電流電線を、強電流電線からの回り込みの電磁干渉に対しても確実に遮蔽することができる。この作業は、無資格者でも、簡単に行える。
【００２５】
さらに、強電流電線および弱電流電線が混在する種々の天井裏、壁裏等、通常目に触れない箇所で、強電流電線と弱電流電線との間にこの中子ボックス１を介在させ、この中子ボックスの両側の窪み９にそれぞれ各電線を収納して固定することによって、両者を確実に隔絶させることができる。この場合、両面接着テープによって中子ボックスを２個縦列連結することによって、約２０ｃｍも両電線を離隔することができ、電気設備技術基準を十分にクリアすることができる。この中子ボックス１の底面には、両面接着テープに貼着し、剥離シートを剥がし、屋内構造の任意の部分に中子ボックス１を固定することができる。この作業も、無資格者であっても、簡単に行える。
【００２６】
本考案中子ボックスによれば、
1．有線電気通信設備令第１８条第１および２項、
2．電気事業法第５６条第２項および第３９条第２項、
3．電気設備技術基準に関する経産省令第６２条、第１８９条第２および３項、
4．宅地建物取引業における住宅電気設備の重要事項説明に関する宅地建物取引業法第３５条、に対する違反のいずれをも回避できる。
【産業上の利用可能性】
【００２７】
本考案中子ボックスは、建築業界、電気設備工事業界で使用される複合コンセントボックスに利用できる。
【図面の簡単な説明】
【００２８】
【図１】（ａ）は本考案による中子ボックスの線図的斜視図、（ｂ）は本考案中子ボックスを適用する普通の複合コンセントボックスの線図的斜視図である。
【符号の説明】
【００２９】
１  中子ボックス
２  複合コンセントボックス
３  隔壁または遮蔽板
４  強電流電線用のコンセントユニット配設領域
５  弱電流電線用ジャックユニット配設領域
６  底壁
７ａ〜ｄ  側壁
８  ナット付き突起
９  垂直窪み
１０  切欠き
１１  二口コンセント
１２  コンセントユニット
１３  配線ケーブル
１４  ケーブル用開口
１５  ねじ用開口
１６  アルミ箔フィルム
【図１】
0003143429.tif 000003